(57)【要約】【課題】湿気等による反りや、壁クロスとの間に隙間が発生することがなく、また、装飾性に優れた見付け面を有する出窓の窓台の構造を提供する。【解決手段】窓台本体１とこの窓台本体１に装着されるモール材２とからなる窓台の構造Ａであって、上記窓台本体１はその長手方向に沿って複数の固定手段Ｆにより駆体５に固定されるとともに、該モール材２は上記固定手段Ｆの頭部を収容する収容部１１１を備え、かつ、上記モール材２と窓台本体１とは接着剤により接着される。【選択図】図１
2005273297.tif 000002
【特許請求の範囲】
【請求項１】
窓台本体とこの窓台本体に装着されるモール材とからなる窓台の構造であって、上記窓台本体はその長手方向に沿って複数の固定手段により駆体に固定されるとともに、該モール材は上記固定手段の頭部を収容する収容部を備え、かつ、上記モール材と窓台本体とは接着剤により接着される出窓の窓台の構造。
【請求項２】
上記窓台本体は、その前端部の長手方向上部に側断面Ｌ字型の切り欠き部を設けて下部に凸条部を延設するとともに、上記窓台本体の切り欠き部と駆体とを複数の固定手段により固定し、かつ、上記モール材には上記凸条部と嵌合する側断面略コの字型の凹部が内設された請求項１に記載の出窓の窓台の構造。
【請求項３】
上記窓台本体は、その前端部を張り出すように駆体上に配置し下方から駆体を貫通する複数の固定手段によって固定され、上記モール材は上記窓台本体前端部を裏面から支持するように接着されるとともに、上記モール材の駆体当接部は切り欠かれて上記固定手段頭部の収容部とされた請求項１に記載の出窓の窓台の構造。
【請求項４】
上記窓台本体とモール材とが化粧シートにより被着された請求項３に記載の出窓の窓台の構造。
【発明の詳細な説明】
【技術分野】
【０００１】
本発明は、出窓の窓台に関する。さらに詳しくは、出窓のカウンター部として用いられる窓台の構造に関する。
【背景技術】
【０００２】
従来、建物の外壁に張り出して設けられる出窓の構造については種々の先行技術が公知であり、例えば、本願図５に示すように、屋根部８、袖部７、窓台６等の構成部材を工場で生産し、これを現場で組み立てて外壁の開口部にくぎやビスで取付け、ガラス窓９を組み付けて出窓Ｃとする構造が知られている。出窓Ｃを構成するこれらの各部材は、室内インテリアとしても機能し、とくに、窓台６は花瓶や置物等を載置するカウンターとして用いられる。また、正面に位置する見付け面６１は目立つため、モール材で装飾され、インテリア性を向上させることが行なわれている。
【特許文献１】実開平５−８３２６９号公報（第１−２頁、第１図）
【特許文献２】特開平８−２１８７３５号公報（第１−３頁、第７、８図）
【特許文献３】特開平７−２０８０２８号公報（第１−２頁、第１、２、６図）
【発明の開示】
【発明が解決しようとする課題】
【０００３】
上記窓台の下地への固定は、本願図５に示されていないが、通常、窓台の長手方向の端部のみをビス留めすることにより行なわれるため、湿気等の影響により窓台が反り上がったり、上記窓台と壁クロスとの間に隙間が発生する等の問題がある。本発明は上記問題を解決し、カウンターとして種々の置物等を安定して載置できるとともに、湿気等による反りや、壁クロスとの間に隙間が発生することがなく、また、インテリア性に優れた出窓の窓台の構造を提供することを、その課題とする。
【課題を解決するための手段】
【０００４】
本発明は、上記課題を解決するために考え出されたものであって、つぎのような技術的手段を講じている。すなわち、本発明によれば、窓台本体とこの窓台本体に装着されるモール材とからなる窓台の構造であって、上記窓台本体はその長手方向に沿って複数の固定手段により駆体に固定されるとともに、該モール材は上記固定手段の頭部を収容する収容部を備え、かつ、上記モール材と窓台本体とは接着剤により接着される出窓の窓台の構造が提供される。
【０００５】
本発明の構造の施工は、まず、窓台本体を、駆体に複数の固定手段で固定することによって組み付け、ついで固定手段の頭部をモール材に設けられた収容部に収めるとともに、接着剤で接着する。このとき、上記固定手段としては、ビス、くぎ、スクリューくぎ等公知の固定手段が用いられる。
【０００６】
第一の実施形態としては、上記窓台本体の前端部の長手方向上部に側断面Ｌ字型の切り欠き部を設けるとともに、その前端部の長手方向下部に凸条部を延設し、上記モール材には、上記凸条部と嵌合する側断面略コの字型の凹部が内設される。このとき、上記凹部の上端縁は角取りをされているため、上記窓台本体とモール材とを接着したとき、角取り面と側断面Ｌ字型の切り欠き部とがビスの頭を収容する収容部を形成する。
【０００７】
第二の実施形態としては、上記窓台本体は、その前端部を張り出すように駆体上に配置され、下方から駆体を貫通して上記窓台本体に達する複数の固定手段によって固定されるとともに、上記窓台本体前端部を裏面から支持するように接着されるモール材は、その駆体当接部が切り欠かれ、固定手段頭部の収容部とされる。上記窓台本体とモール材とは接着剤により接着して一体化され、さらに見付け面の接着剤層を目隠しするように、化粧シートが被着される。
【発明の効果】
【０００８】
請求項１に記載の発明は上記のとおりであり、窓台本体の前端部がその長手方向に沿って、複数の固定手段により駆体にしっかりと固定されているため、カウンターとして花瓶や置物等を安定して載置できる。また、窓台自身が、湿気等により反ったり、ゆがんで壁クロスとの間に隙間を生じるという問題を防げる。
【０００９】
第一の実施形態においては、上記窓台本体の前端部の長手方向下部に延設された凸条部と、上記モール材に内設された側断面略コの字型の凹部とが嵌合し、さらに接着して固定されるため、窓台本体とモール材とが一体化するとともに、固定手段の頭部を目隠しし、モール材が見付け面に位置するため、インテリア性に富んだ出窓の窓台とすることができる。
【００１０】
第二の実施形態においては、前端部を張り出すように駆体上に配置された窓台本体が、複数の固定手段によって駆体に固定され、さらに上記モール材と接着して一体化されているため、固定手段の頭部が目隠しされるとともに、インテリア性に富んだ出窓の窓台とすることができる。このとき、接着剤によって一体化された窓台本体とモール材との接着剤層を目隠しするように、さらに化粧シートを被着することによって、さらにインテリア性に富んだ出窓の窓台とすることができる。
【発明を実施するための最良の形態】
【００１１】
以下、本発明の実施形態について図面を参照して詳細に説明する。図１は、本発明の第一実施形態にかかる出窓の窓台の構造Ａを示す分解説明図である。図１からよくわかるように、上記窓台の構造Ａは、窓台本体１とモール材２とからなり、窓台本体１の前端部の長手方向上部は側断面Ｌ字型に切り欠かれ、切り欠き部１１とされているとともに、長手方向下部には凸条部１２が延設され、一方、モール材２には上記凸条部１２と嵌合する側断面略コの字型の凹部２１が内設されている。また、窓台本体１は、その長手方向に沿って固定手段Ｆとして用いられた複数のビスにより駆体５を構成する構造材５１にしっかりとビス留めされている。
【００１２】
図２は、窓台本体１の長手方向下部に延設された凸条部１２と、モール材２に内設された側断面略コの字型の凹部２１を嵌合させるとともに、窓台本体１とモール材２とを接着剤で接着、固定した状態を示す側断面図である。図２からよくわかるように、上記凸条部１２と凹部２１とを嵌合させたとき、上記凹部２１の上端縁は角取りをされているため、角取り面と側断面Ｌ字型の切り欠き部１１とがビスの頭を収容する収容部１１１を形成する。かくして、窓台本体１とモール材２とが接着、一体化されて構造材５１を介して駆体５にしっかりと固定され、花瓶や置物等を載置するカウンターとされるとともに、反り上がりや壁クロスとの間に隙間を生じるという問題を防げる。
【００１３】
図３は、本発明の第二実施形態にかかる出窓の窓台の構造Ｂを示す側断面図であり、図３によく示されているように、上記窓台本体３は、その前端部を張り出すように駆体５上に配置され、駆体５を構成する構造材５１を下方から貫通する複数のビスによってしっかりと固定されている。一方、モール材４は窓台本体３の前端部を裏面から支持するように接着され、上記モール材４の駆体５との当接部は切り欠かれてビスの頭部の収容部４１とされている。なお、図３における符号Ｓは接着剤層を示す。
【００１４】
第二実施形態においては、図４に示すように、上記のようにして接着、一体化された窓台本体３とモール材４とをさらに化粧シート３１で被着することができる。このようにすることにより、化粧シート３１によって窓台全体のデザイン性が向上するとともに、正面に位置する見切り面の接着剤層Ｓが目隠しされ、さらに、インテリア性に富んだ出窓の窓台とすることができる。なお、本発明にかかる窓台の構造は、出窓に限られず、インテリアカウンターとして建物の種々の部分に適用することができる。
【図面の簡単な説明】
【００１５】
【図１】本発明の第一実施形態にかかる出窓の窓台の構造を示す分解説明図である。
【図２】本発明の第一実施形態にかかる出窓の窓台の構造を示す側断面図である。
【図３】本発明の第二実施形態にかかる出窓の窓台の構造を示す側断面図である。
【図４】本発明の第二実施形態にかかる出窓の窓台の構造をさらに化粧シートで被着した状態を示す側断面図である。
【図５】公知の出窓を室内から見た状態を示す斜視図である。
【符号の説明】
【００１６】
Ａ          本発明の第一実施形態にかかる出窓の窓台の構造
１          窓台本体
１１        切り欠き部
１１１      固定手段頭部収容部
１２        凸条部
２          モール材
２１        凹部
５          駆体
５１        構造材
Ｆ          固定手段
Ｂ          本発明の第二実施形態にかかる出窓の窓台の構造
３          窓台本体
３１        化粧シート
４          モール材
４１        固定手段頭部収容部
Ｓ          接着剤層
Ｃ          公知の出窓
６          窓台
６１        見付け面
７          袖部
８          屋根部
９          ガラス窓
【図１】
2005273297.tif 000003
【図２】
2005273297.tif 000004
【図３】
2005273297.tif 000005
【図４】
2005273297.tif 000006
【図５】
2005273297.tif 000007